(57)【要約】【課題】三つの金属接点を有する単一チップにおけるＡＣ＿ＬＥＤシステムであって、且つ三相電圧によって駆動できるＡＣ＿ＬＥＤシステムを提供する。【解決手段】単一のチップにカップリングされている複数のＡＣ＿ＬＥＤが設けられ、三相電圧に駆動され、三つの金属接点を有する単一のチップにおけるＡＣ＿ＬＥＤシステムを作成する。または、四相電圧に駆動され、四つの金属接点を有する単一のチップにおけるＡＣ＿ＬＥＤシステムも提供する。【選択図】図５
2007165898.tif 000002
【特許請求の範囲】
【請求項１】
三つの金属接点を有する単一チップにおけるＡＣ＿ＬＥＤシステムであって、
基板に設けられる複数のＡＣ＿ＬＥＤユニットと、
前記基板に設けられる第１の金属接点、第２の金属接点、及び第３の金属接点と、
第１の電極端子が前記第１の金属接点に電気的にカップリングされ、第２の電極端子が前記第２の金属接点に電気的にカップリングされる第１の直列するＡＣ＿ＬＥＤユニットと、
第１の電極端子が前記第１の金属接点に電気的にカップリングされ、第２の電極端子が前記第３の金属接点に電気的にカップリングされる第２の直列するＡＣ＿ＬＥＤユニットと、
第１の電極端子が前記第２の金属接点に電気的にカップリングされ、第２の電極端子が前記第３の金属接点に電気的にカップリングされる第３の直列するＡＣ＿ＬＥＤユニットと、
を含むことを特徴とする単一チップにおけるＡＣ＿ＬＥＤシステム。
【請求項２】
前記金属接点は、金属パッドであることを特徴とする請求項１に記載の単一チップにおけるＡＣ＿ＬＥＤシステム。
【請求項３】
四つの金属接点を有する単一チップにおけるＡＣ＿ＬＥＤシステムであって、
基板に設けられる複数のＡＣ＿ＬＥＤユニットと、
前記基板に設けられる第１の金属接点、第２の金属接点、第３の金属接点及び第４の金属接点と、
第１の電極端子が前記第１の金属接点に電気的にカップリングされ、第２の電極端子が前記第４の金属接点に電気的にカップリングされる第１の直列するＡＣ＿ＬＥＤユニットと、
第１の電極端子が前記第２の金属接点に電気的にカップリングされ、第２の電極端子が前記第４の金属接点に電気的にカップリングされる第２の直列するＡＣ＿ＬＥＤユニットと、
第１の電極端子が前記第３の金属接点に電気的にカップリングされ、第２の電極端子が前記第４の金属接点に電気的にカップリングされる第３の直列するＡＣ＿ＬＥＤユニットと、
を含むことを特徴とする単一チップにおけるＡＣ＿ＬＥＤシステム。
【請求項４】
前記金属接点は、金属パッドであることを特徴とする請求項３に記載の単一チップにおけるＡＣ＿ＬＥＤシステム。
【請求項５】
前記ＡＣ＿ＬＥＤユニットは、前記金属接点の間に分離されて配置されることを特徴とする請求項１に記載の単一チップにおけるＡＣ＿ＬＥＤシステム。
【請求項６】
複数の金属接点を有する単一チップにおけるＡＣ＿ＬＥＤシステムであって、
基板に設けられる複数のＡＣ＿ＬＥＤユニットと、
少なくとも三つの金属接点と、を含み、
前記ＡＣ＿ＬＥＤユニットは、前記金属接点の間に分離されて配置されることを特徴とする単一チップにおけるＡＣ＿ＬＥＤシステム。
【請求項７】
十二個のＤＣ＿ＬＥＤユニットが同一の基板に設けられてなる単一のチップにおけるＡＣ＿ＬＥＤシステムであって、
隣接するＤＣ＿ＬＥＤユニットの隣接する電極にそれぞれカップリングされる七つの金属接点と、
第２の金属接点にカップリングされる第１のＤＣ＿ＬＥＤのプラス電極、第８のＤＣ＿ＬＥＤのマイナス電極及び第２のＤＣ＿ＬＥＤのプラス電極と、
第３の金属接点にカップリングされる第２のＤＣ＿ＬＥＤのマイナス電極、第九のＤＣ＿ＬＥＤのプラス電極及び第３のＤＣ＿ＬＥＤのマイナス電極と、
第４の金属接点にカップリングされる第３のＤＣ＿ＬＥＤのプラス電極、第十のＤＣ＿ＬＥＤのマイナス電極及び第４のＤＣ＿ＬＥＤのプラス電極と、
第５の金属接点にカップリングされる第４のＤＣ＿ＬＥＤのマイナス電極、第十一のＤＣ＿ＬＥＤのプラス電極及び第５のＤＣ＿ＬＥＤのマイナス電極と、
第６の金属接点にカップリングされる第５のＤＣ＿ＬＥＤのプラス電極、第十二のＤＣ＿ＬＥＤのマイナス電極及び第６のＤＣ＿ＬＥＤのプラス電極と、
第１の金属接点にカップリングされる第６のＤＣ＿ＬＥＤのマイナス電極、第８のＤＣ＿ＬＥＤのプラス電極及び第十一のＤＣ＿ＬＥＤのマイナス電極と、
第７の金属接点にカップリングされる第７のＤＣ＿ＬＥＤのマイナス電極、第８のＤＣ＿ＬＥＤのプラス電極、第九のＤＣ＿ＬＥＤのマイナス電極、第十のＤＣ＿ＬＥＤのプラス電極、第十一のＤＣ＿ＬＥＤのマイナス電極、及び第十二のＤＣ＿ＬＥＤのプラス電極と、
を含むことを特徴とする単一チップにおけるＡＣ＿ＬＥＤシステム。
【請求項８】
前記金属接点は、金属パッドであることを特徴とする請求項７に記載の単一チップにおけるＡＣ＿ＬＥＤシステム。
【発明の詳細な説明】
【技術分野】
【０００１】
本発明は単一のチップに配置されカップリングされて一つの交流式発光ダイオード（ＡＣ＿ＬＥＤ）システムを形成する複数のＡＣ＿ＬＥＤに関し、特に、三相電圧によって駆動されるように三つの金属接点を有する単一チップにおけるＡＣ＿ＬＥＤシステムに関するものである。
【背景技術】
【０００２】
図１は、特許文献１に係る従来技術であり、絶縁基板１０に形成され、高駆動電圧によって作用するＡＣ＿ＬＥＤが開示されている。これによると、複数のＤＣ＿ＬＥＤ１が直列に接続されることで一つのＬＥＤアレイを成している。リード線２８は、ＬＥＤ１同士の間、およびＬＥＤ１と電極パッド３２との間に形成され、二つのＬＥＤアレイは平行且つ逆向きに接続されている。
【特許文献１】米国特許出願公開第２００５／０２５３１５１号明細書
【発明の開示】
【発明が解決しようとする課題】
【０００３】
そのため、交流電源によって電源が供給される。従来の立体的相互接続は、交差領域３４に示すように、同一面のリード線２８における回路のショートを回避するために用いられるものであり、二つの電極パッド３２は単相電圧に接続されるためのものである。そのため、この種のＡＣ＿ＬＥＤシステムは三相電圧による駆動が不可能となっている。
【０００４】
そこで、以上のとおりの事情に鑑み、本発明は、三つの金属接点を有する単一チップにおけるＡＣ＿ＬＥＤシステムであって、且つ三相電圧によって駆動できるＡＣ＿ＬＥＤシステムを提供することを課題とする。
【課題を解決するための手段】
【０００５】
複数のＡＣ＿ＬＥＤユニットが同一の半導体チップに統合配置されることによって、三相電圧にカップリングされる三つの金属接点を有する単一チップのＡＣ＿ＬＥＤシステムとして形成されることで、ＡＣ＿ＬＥＤシステムの発光タイミングを制御できる。
【０００６】
一つの回路の実施例として、三組のＡＣ＿ＬＥＤユニットを直列させリード線で接続することにより、Δ型の接続を構成してよい。
【０００７】
又は、四相電圧に接続するＹ型の回路接続に等価な単一チップの設計も後に開示する。
【発明を実施するための最良の形態】
【０００８】
図２Ａは、本発明における第1の基本ユニットを示す図である。本発明に用いられるＡＣ＿ＬＥＤユニットは、相互補完的に対を成す二つの三角形のＤＣ＿ＬＥＤユニットからなり、すなわち、第１のＤＣ＿ＬＥＤ２０１が絶縁基板２００に設けられ、第２のＤＣ＿ＬＥＤ２０２も同一の絶縁基板２００に設けられてなる。第１のＤＣ＿ＬＥＤ２０１は、絶縁基板２００表面の左下方に設けられ、左上方の鋭角にプラス電極を有し、右下方の鋭角にマイナス電極を有する。第２のＤＣ＿ＬＥＤ２０２は、絶縁基板２００の表面の右上方に設けられ、右下方の鋭角にプラス電極を有し、左上方の鋭角にマイナス電極を有する。つまり、第１のＤＣ＿ＬＥＤ２０１と第２のＤＣ＿ＬＥＤ２０２の二つの電極は、二つのＬＥＤの間が電気的に最短でカップリングされて一つのＡＣ＿ＬＥＤユニットが形成されるように、相互補完的に配置されている。図２Ａにおける基本的なＡＣ＿ＬＥＤユニットは、図３における回路設計と等価である。
【０００９】
第１の金属接点２１１は、第１のＤＣ＿ＬＥＤ２０１のプラス電極と第２のＤＣ＿ＬＥＤ２０２のマイナス電極にカップリングされるように、ＡＣ＿ＬＥＤユニットの左上方の鋭角に設けられている。第１の金属接点２１１によってＡＣ＿ＬＥＤユニットは、矢印Ｔで示すように、最短で上方のＡＣ＿ＬＥＤユニット（図示せず）に電気的にカップリングされてもよく、矢印Ｌで示すように、最短で左側のＡＣ＿ＬＥＤユニット（図示せず）に電気的にカップリングされてもよく、矢印ＬＴで示すように、最短で左上方のＡＣ＿ＬＥＤユニット（図示せず）に電気的にカップリングされてもよい。
【００１０】
第２の金属接点２１２は、第１のＤＣ＿ＬＥＤ２０１のマイナス電極と第２のＤＣ＿ＬＥＤ２０２のプラス電極にカップリングされるように、ＡＣ＿ＬＥＤユニットの右下方の鋭角に設けられている。第２の金属接点２１２によってＡＣ＿ＬＥＤユニットは、矢印Ｒで示すように、最短で右側のＡＣ＿ＬＥＤユニット（図示せず）に電気的にカップリングされてもよく、矢印Ｂで示すように、最短で下方のＡＣ＿ＬＥＤユニット（図示せず）に電気的にカップリングされてもよく、矢印ＲＢで示すように、最短で右下方のＡＣ＿ＬＥＤユニット（図示せず）に電気的にカップリングされてもよい。
【００１１】
図２Ｂは、本発明における第２の基本ユニットを示す図である。本発明に用いられるＡＣ＿ＬＥＤは、相互補完的に対を成す二つの三角形のＤＣ＿ＬＥＤからなり、すなわち、第１のＤＣ＿ＬＥＤ２０１が絶縁基板２００に設けられ、第２のＤＣ＿ＬＥＤ２０２も同一の絶縁基板２００に設けられてなる。第１のＤＣ＿ＬＥＤ２０１は、絶縁基板２００表面の左上方に設けられ、右上方の鋭角にプラス電極を有し、左下方の鋭角にマイナス電極を有する。第２のＤＣ＿ＬＥＤ２０２は、絶縁基板２００の表面の右下方に設けられ、左下方の鋭角にプラス電極を有し、右上方の鋭角にマイナス電極を有する。つまり、第１のＤＣ＿ＬＥＤ２０１と第２のＤＣ＿ＬＥＤ２０２の二つの電極は、二つのＤＣ＿ＬＥＤユニットの間が電気的に最短でカップリングされて一つのＡＣ＿ＬＥＤユニットが形成されるように、相互補完的に配置されている。図２Ｂにおける基本的なＡＣ＿ＬＥＤユニットは、図３における回路設計と等価である。
【００１２】
第１の金属接点２１１は、第１のＤＣ＿ＬＥＤ２０１のプラス電極と第２のＤＣ＿ＬＥＤ２０２のマイナス電極にカップリングされるように、ＡＣ＿ＬＥＤユニットの右上方の鋭角に設けられている。第１の金属接点２１１によってＡＣ＿ＬＥＤユニットは、矢印Ｔで示すように、最短で上方のＡＣ＿ＬＥＤユニット（図示せず）に電気的にカップリングされてもよく、矢印Ｒで示すように、最短で右側のＡＣ＿ＬＥＤユニット（図示せず）に電気的にカップリングされてもよく、矢印ＲＴで示すように、最短で右上方のＡＣ＿ＬＥＤユニット（図示せず）に電気的にカップリングされてもよい。
【００１３】
第２の金属接点２１２は、第１のＤＣ＿ＬＥＤ２０１のマイナス電極と第２のＤＣ＿ＬＥＤ２０２のプラス電極にカップリングされるように、ＡＣ＿ＬＥＤユニットの左下方の鋭角に設けられている。第２の金属接点２１２によってＡＣ＿ＬＥＤユニットは、矢印Ｌで示すように、最短で左側のＡＣ＿ＬＥＤユニット（図示せず）に電気的にカップリングされてもよく、矢印Ｂで示すように、最短で下方のＡＣ＿ＬＥＤユニット（図示せず）に電気的にカップリングされてもよく、矢印ＬＢで示すように、最短で左下方のＡＣ＿ＬＥＤユニット（図示せず）に電気的にカップリングされてもよい。
【００１４】
図３は、図２Ａ及び図２Ｂと等価である回路を示す図である。図２Ａと図２Ｂにおける第１のＤＣ＿ＬＥＤ２０１は図３における第１のＤＣ＿ＬＥＤ３０１と等価であり、図２Ａと図２Ｂにおける第２のＤＣ＿ＬＥＤ２０２は図３における第２のＤＣ＿ＬＥＤ３０２と等価であり、図２Ａと図２Ｂにおける第１の金属接点２１１は図３における第１の金属接点３１１と等価であり、図２Ａと図２Ｂにおける第２の金属接点２１２は図３における第２の金属接点３１２と等価である。第１のＤＣ＿ＬＥＤ３０１と第２のＤＣ＿ＬＥＤ３０２は、一つのＡＣ＿ＬＥＤユニットが形成されるように平行且つ逆向きに接続されている。
【００１５】
図４Ａは、本発明における第３の基本ユニットを示す図である。本発明に用いられるＡＣ＿ＬＥＤユニットは、相互補完的に対を成す二つの長方形のＤＣ＿ＬＥＤユニットからなり、すなわち、第１のＤＣ＿ＬＥＤ４０１が絶縁基板４００に設けられ、第２のＤＣ＿ＬＥＤ４０２も同一の絶縁基板４００に設けられてなる。第１のＤＣ＿ＬＥＤ４０１は、上端にプラス電極を有し、下端にマイナス電極を有する。第２のＤＣ＿ＬＥＤ４０２は、下端にプラス電極を有し、上端にマイナス電極を有する。つまり、第１のＤＣ＿ＬＥＤ４０１と第２のＤＣ＿ＬＥＤ４０２の二つの電極は、二つのＤＣ＿ＬＥＤユニットの間が電気的に最短でカップリングされて一つのＡＣ＿ＬＥＤユニットが形成されるように、相互補完的に配置されている。図４Ａにおける基本的なＡＣ＿ＬＥＤユニットは、図３における回路設計と等価である。
【００１６】
第１の金属接点４１１は、第１のＤＣ＿ＬＥＤ４０１のプラス電極と第２のＤＣ＿ＬＥＤ４０２のマイナス電極にカップリングされるように、ＡＣ＿ＬＥＤユニットの上端に設けられている。第１の金属接点４１１によってＡＣ＿ＬＥＤユニットは、矢印Ｔで示すように、最短で上方のＡＣ＿ＬＥＤユニット（図示せず）に電気的にカップリングされてもよく、矢印Ｒ１で示すように、最短で右側のＡＣ＿ＬＥＤユニット（図示せず）に電気的にカップリングされてもよく、矢印Ｌ１で示すように、最短で左側のＡＣ＿ＬＥＤユニット（図示せず）に電気的にカップリングされてもよい。
【００１７】
第２の金属接点４１２は、第１のＤＣ＿ＬＥＤ４０１のマイナス電極と第２のＤＣ＿ＬＥＤ４０２のプラス電極にカップリングされるように、ＡＣ＿ＬＥＤユニットの下端に設けられている。第２の金属接点４１２によってＡＣ＿ＬＥＤユニットは、矢印Ｒ２で示すように、最短で右側のＡＣ＿ＬＥＤユニット（図示せず）に電気的にカップリングされてもよく、矢印Ｌ２で示すように、最短で左側のＡＣ＿ＬＥＤユニット（図示せず）に電気的にカップリングされてもよく、矢印Ｂで示すように、最短で下方のＡＣ＿ＬＥＤユニット（図示せず）に電気的にカップリングされてもよい。
【００１８】
図４Ｂは本発明における第４の基本ユニットを示す図である。本発明に用いられるＡＣ＿ＬＥＤユニットは、相互補完的に対を成す二つの長方形のＤＣ＿ＬＥＤユニットからなり、すなわち、第１のＤＣ＿ＬＥＤ４０１が絶縁基板４００に設けられ、第２のＤＣ＿ＬＥＤ４０２も同一の絶縁基板４００に設けられてなる。第１のＤＣ＿ＬＥＤ４０１は、右端にプラス電極を有し、左端にマイナス電極を有する。第２のＤＣ＿ＬＥＤ４０２は、左端にプラス電極を有し、右端にマイナス電極を有する。つまり、第１のＤＣ＿ＬＥＤ４０１と第２のＤＣ＿ＬＥＤ４０２の二つの電極は、二つのＤＣ＿ＬＥＤユニットの間が電気的に最短でカップリングされて一つのＡＣ＿ＬＥＤユニットが形成されるように、相互補完的に配置されている。図４Ｂにおける基本的なＡＣ＿ＬＥＤユニットは、図３における回路設計と等価である。
【００１９】
第１の金属接点４１１は、第１のＤＣ＿ＬＥＤ４０１のプラス電極と第２のＤＣ＿ＬＥＤ４０２のマイナス電極にカップリングされるように、ＡＣ＿ＬＥＤユニットの右端に設けられている。第１の金属接点４１１によってＡＣ＿ＬＥＤユニットは、矢印Ｔ２で示すように、最短で上方のＡＣ＿ＬＥＤユニット（図示せず）に電気的にカップリングされてもよく、矢印Ｒで示すように、最短で右側のＡＣ＿ＬＥＤユニット（図示せず）に電気的にカップリングされてもよく、矢印Ｂ２で示すように、最短で下方のＡＣ＿ＬＥＤユニット（図示せず）に電気的にカップリングされてもよい。
【００２０】
第２の金属接点４１２は、第１のＤＣ＿ＬＥＤ４０１のマイナス電極と第２のＤＣ＿ＬＥＤ４０２のプラス電極にカップリングされるように、ＡＣ＿ＬＥＤユニットの下端に設けられている。第２の金属接点４１２によってＡＣ＿ＬＥＤユニットは、矢印Ｔ１で示すように、最短で上方のＡＣ＿ＬＥＤユニット（図示せず）に電気的にカップリングされてもよく、矢印Ｌで示すように、最短で左側のＡＣ＿ＬＥＤユニット（図示せず）に電気的にカップリングされてもよく、矢印Ｂ１で示すように、最短で下方のＡＣ＿ＬＥＤユニット（図示せず）に電気的にカップリングされてもよい。
【００２１】
図５は、本発明に係る第１の実施例であり、三つの金属接点またはパッドを有する単一チップにおけるＡＣ＿ＬＥＤシステムを説明するものである。図５に示すように、六つのＡＣ＿ＬＥＤユニットＣ１１、Ｃ２１、Ｃ１２、Ｃ３２、Ｃ１３、Ｃ３３が同一の絶縁基板５００に設けられ、第１の金属接点Ｐ１は領域Ｃ２２にあり、第２の金属接点Ｐ２は領域Ｃ２３にあり、第３の金属接点Ｐ３は領域Ｃ３１にあり、これら三つの金属接点Ｐ１〜Ｐ３は全て同一の絶縁基板５００に設けられる。
【００２２】
第１の直列する（第１の組の）ＡＣ＿ＬＥＤユニットは、第１の金属接点Ｐ１に電気的にカップリングされる第１の電極端子と、第２の金属接点Ｐ２に電気的にカップリングされる第２の電極端子と、を備え、金属配線Ｍによって隣接する二つのＡＣ＿ＬＥＤユニット間の回路が接続される。ＡＣ＿ＬＥＤユニットＣ１２とＡＣ＿ＬＥＤユニットＣ１３が金属接点Ｐ１と金属接点Ｐ２との間を直列に接続される。
【００２３】
第２の直列するＡＣ＿ＬＥＤユニットは、第１の金属接点Ｐ１に電気的にカップリングされる第１の電極端子と、第２の金属接点Ｐ３に電気的にカップリングされる第２の電極端子と、を備え、金属配線Ｍによって隣接する二つのＡＣ＿ＬＥＤユニット間の回路が接続される。
【００２４】
第３の直列するＡＣ＿ＬＥＤユニットは、第１の金属接点Ｐ２に電気的にカップリングされる第１の電極端子と、第２の金属接点Ｐ３に電気的にカップリングされる第２の電極端子と、を備え、金属配線Ｍによって隣接する二つのＡＣ＿ＬＥＤユニット間の回路が接続される。ＡＣ＿ＬＥＤユニットＣ３３とＡＣ＿ＬＥＤユニットＣ３２が金属接点Ｐ２と金属接点Ｐ３の間で直列に接続される。
【００２５】
図６は、図５の等価回路を示す。図６における六つのＡＣ＿ＬＥＤユニットＣ１１、Ｃ２１、Ｃ１２、Ｃ３２、Ｃ１３、Ｃ３３と、三つの金属接点Ｐ１〜Ｐ３は、それぞれ図５における各構成要素に対応している。
【００２６】
図６に示すように、ＡＣ＿ＬＥＤユニットＣ１２、Ｃ１３は、第１の金属接点Ｐ１と第２の金属接点Ｐ２との間を直列で接続され、ＡＣ＿ＬＥＤユニットＣ１１、Ｃ２１は、第１の金属接点Ｐ１と第３の金属接点Ｐ３との間を直列で接続され、ＡＣ＿ＬＥＤユニットＣ３３、Ｃ３２は、第２の金属接点Ｐ２と第３の金属接点Ｐ３との間を直列で接続される。この三角形の回路における三つの金属接点Ｐ１〜Ｐ３は三相電圧に接続される。
【００２７】
図７は、本発明に係る第２の実施例であり、四つの金属接点またはパッドを有する単一チップのＡＣ＿ＬＥＤシステムを説明するものである。図７に示すように、１２組のＡＣ＿ＬＥＤユニットＤ１１、Ｄ２１、Ｄ１２、Ｄ２２、Ｄ３２、Ｄ４２、Ｄ１３、Ｄ３３、Ｄ４３、Ｄ１４、Ｄ２４、Ｄ３４が同一の絶縁基板７００に設けられ、第１の金属接点Ｐ０は領域Ｄ２３にあり、第２の金属接点Ｐ４は領域Ｄ３１にあり、第３の金属接点Ｐ５は領域Ｄ４４にあり、第４の金属接点Ｐ６は領域Ｄ４１にあり、これら四つの金属接点Ｐ０、Ｐ４〜Ｐ６は全て同一の絶縁基板７００に設けられる。
【００２８】
第１の直列するＡＣ＿ＬＥＤユニットは、第１の金属接点Ｐ０に電気的にカップリングされる第１の電極端子と、第２の金属接点Ｐ４に電気的にカップリングされる第２の電極端子と、を備え、金属配線Ｍによって隣接する二つのＡＣ＿ＬＥＤユニット間の回路が接続され、ＡＣ＿ＬＥＤユニットＤ２２、Ｄ１２、Ｄ１１、Ｄ２１が金属接点Ｐ０と金属接点Ｐ４との間を直列に接続される。
【００２９】
第２の直列するＡＣ＿ＬＥＤユニットは、第１の金属接点Ｐ０に電気的にカップリングされる第１の電極端子と、第２の金属接点Ｐ５に電気的にカップリングされる第２の電極端子と、を備え、金属配線Ｍによって隣接する二つのＡＣ＿ＬＥＤユニット間の回路が接続され、ＡＣ＿ＬＥＤユニットＤ１３、Ｄ１４、Ｄ２４、Ｄ３４が金属接点Ｐ０と金属接点Ｐ５との間を直列に接続される。
【００３０】
第３の直列するＡＣ＿ＬＥＤユニットは、第１の金属接点Ｐ０に電気的にカップリングされる第１の電極端子と、第２の金属接点Ｐ６に電気的にカップリングされる第２の電極端子と、を備え、金属配線Ｍによって隣接する二つのＡＣ＿ＬＥＤユニット間の回路が接続される。ＡＣ＿ＬＥＤユニットＤ３２、Ｄ３３、Ｄ４３、Ｄ４２が金属接点Ｐ０と金属接点Ｐ６の間で直列に接続される。これら四つの金属接点Ｐ０、Ｐ４〜Ｐ６は、四相電圧にカップリングされる。
【００３１】
図８は、図７の等価回路を示す図である。図８における１２組のＡＣ＿ＬＥＤユニットＤ１１、Ｄ２１、Ｄ１２、Ｄ２２、Ｄ３２、Ｄ４２、Ｄ１３、Ｄ３３、Ｄ４３、Ｄ１４、Ｄ２４、Ｄ３４と、ノードＰ０と、三つの金属接点Ｐ４〜Ｐ６は、それぞれ図７における各構成要素に対応している。
【００３２】
図８に示すように、三つの直列するＡＣ＿ＬＥＤユニットは、Ｙ型の回路構成をなし、ＡＣ＿ＬＥＤユニットＤ２１、Ｄ１１、Ｄ１２、Ｄ２２は、第１の金属接点Ｐ０と第２の金属接点Ｐ４との間を直列で接続され、ＡＣ＿ＬＥＤユニットＤ１３、Ｄ１４、Ｄ２４、Ｄ３４は、第１の金属接点Ｐ０と第３の金属接点Ｐ５との間を直列で接続され、ＡＣ＿ＬＥＤユニットＤ３２、Ｄ３３、Ｄ４３、Ｄ４２は、第１の金属接点Ｐ０と第４の金属接点Ｐ６との間を直列で接続される。ノードＰ０、金属接点Ｐ４〜Ｐ６は四相電圧に接続される。
【００３３】
図９は、本発明に係る第３の実施例であり、三つの金属接点またはパッドを有する単一チップにおけるＡＣ＿ＬＥＤシステムを説明するものである。図に示すように、六つのＡＣ＿ＬＥＤユニットＥ１１、Ｅ２１、Ｅ３１、Ｅ１２、Ｅ２２、Ｅ３２が同一の絶縁基板９００に設けられ、第１の金属接点Ｐ７は領域Ｅ１３にあり、第２の金属接点Ｐ８は領域Ｅ２３にあり、第３の金属接点Ｐ９は領域Ｅ３３にあり、これらは全て絶縁基板９００に設けられる。第１の直列するＡＣ＿ＬＥＤユニットＥ１１、Ｅ１２と、第２の直列するＡＣ＿ＬＥＤユニットＥ２１、Ｅ２２と、第３のＡＣ＿ＬＥＤユニットＥ３１、Ｅ３２は、いずれも金属接点Ｐ９９にカップリングされるための第１の電極端子を有する。第１の直列するＡＣ＿ＬＥＤユニットは、その第２の電極端子が第１の金属接点Ｐ７に電気的にカップリングされ、第２の直列するＡＣ＿ＬＥＤユニットは、その第２の電極端子が第２の金属接点Ｐ８に電気的にカップリングされ、第３の直列するＡＣ＿ＬＥＤユニットは、その第２の電極端子が第３の金属接点Ｐ９に電気的にカップリングされる。これら三つの金属接点Ｐ７、Ｐ８、Ｐ９は、三相電圧にカップリングされる。
【００３４】
図１０は、図９の等価回路を示す。図１０における六組のＡＣ＿ＬＥＤユニットＥ１１、Ｅ２１、Ｅ３１、Ｅ１２、Ｅ２２、Ｅ３２と、ノードＰ９９と、三つの金属接点Ｐ７〜Ｐ９は、それぞれ図９における各構成要素に対応している。このＹ型の回路構成は、三組の直列するＡＣ＿ＬＥＤユニット全ての第１の電極端子にカップリングされる共通のノードＰ９９を有し、三組の直列するＡＣ＿ＬＥＤユニットの第２の電極端子は、金属接点Ｐ７、Ｐ８、Ｐ９にそれぞれ電気的にカップリングされる。この金属接点Ｐ７〜Ｐ９は、三相電圧にカップリングされる。
【００３５】
図１１は、本発明に係る第４の実施例であり、ＡＣ＿ＬＥＤユニットと一対のＤＣ＿ＬＥＤユニットの構成要素との接続を簡素化した本発明の他の態様を示す。図１１に示すように、三相電圧に接続されるための三つの金属接点が設けられ、構成要素であるＡＣ＿ＬＥＤが二つの金属接点の間毎に配置され、これに相当する回路が図６に示されており、図６と図１１の双方において同様の数字によって同じ素子を対応させて表記している。ＤＣ＿ＬＥＤユニットは全て二つのＤＣ＿ＬＥＤユニットからなり、ＡＣ＿ＬＥＤユニットは、ちょうど図６に示すように相互関連性を持たせるよう配置されている。言い換えれば、ＡＣ＿ＬＥＤユニットが金属接点と金属接点との間に分離されて配置されて構成される。三つの金属接点Ｐ１〜Ｐ３を有し、金属接点Ｐ１、Ｐ２の間に、二つのＤＣ＿ＬＥＤによりＡＣ＿ＬＥＤユニットＣ１２が構成され、同様に、二つのＤＣ＿ＬＥＤによりＡＣ＿ＬＥＤユニットＣ１３が構成される。ＡＣ＿ＬＥＤユニットＣ１２は、金属接点Ｐ１に電気的にカップリングされる第１の電極端子と、金属配線Ｍを介してＡＣ＿ＬＥＤユニットＣ１３の第１の電極端子に電気的にカップリングされる第２の電極端子と、を備える。ＡＣ＿ＬＥＤユニットＣ１３は、金属接点Ｐ２に電気的にカップリングされるための第２の電極端子を備える。
【００３６】
同様に、ＡＣ＿ＬＥＤユニットＣ３３とＣ３２は金属接点Ｐ２とＰ３の間にあり、ＡＣ＿ＬＥＤユニットＣ２１とＣ１１が金属接点Ｐ３とＰ１の間にあるが、ここでは詳しい説明を省略する。
【００３７】
図１２は、本発明に係る第５の実施例である。この実施例は図１１のＡＣ＿ＬＥＤユニットの変形例であり、異なる発光効果が得られるものである。動作原理も図１１と同様であり、ＡＣ＿ＬＥＤユニットの金属接点の間の配置に関しては、ここでは詳しい説明を省略する。重要な点は、ＡＣ＿ＬＥＤユニットを金属接点の間に分離させて配置することは、チップ表面の使用領域を最大限に生かして自由に行うことができる点である。
【００３８】
図１３は、本発明に係る第６の実施例であり、四つの金属接点を有するＡＣ＿ＬＥＤユニットを示す。四つの金属接点Ｐ１１１〜Ｐ１１４は、長方形のＡＣ＿ＬＥＤユニットの単一チップの四隅に設けられている。このＡＣ＿ＬＥＤユニットでは、設計を簡素化したりチップの使用領域を最大限に活用することで、ＡＣ＿ＬＥＤユニットが金属接点の間に分離配置されるが、ＡＣ＿ＬＥＤユニットの金属接点の間の配置に関しては、ここでは詳しい説明を省略する。
【００３９】
図１４は、本発明に係る第７の実施例である。この実施例は図１３のＡＣ＿ＬＥＤユニットの変形例であり、異なる発光効果が得られるものである。動作原理も図１３と同様であり、ＡＣ＿ＬＥＤユニットの金属接点の間の配置に関しては、ここでは詳しい説明を省略する。重要な点は、全てのＡＣ＿ＬＥＤユニットが二つの金属接点の間に分離配置される点である。
【００４０】
図１５は、本発明に係る第８の実施例であり、三つの金属接点またはパッドを有する単一チップのＡＣ＿ＬＥＤシステムに１２組のＤＣ＿ＬＥＤユニットが含まれる実施形態を説明するものである。１２組のＤＣ＿ＬＥＤユニットＨ２１〜Ｈ３２は、同一の基板１１００に隣接して設けられる。図１５に示すように、ＤＣ＿ＬＥＤをひし形に構成し、チップ自体が六角形に構成される。ひし形と六角形は実施例としては最良の形態ではあるがそれに限定するものではなく、わずかな形状の変更は可能であり、またそうした変更も本発明の範囲に含まれることは言うまでもない。
【００４１】
図１５に示す構成は、下記の通りである。
（１）  七つの金属接点Ｎ２１、Ｎ２２、Ｎ２３、Ｎ２４、Ｎ２５、Ｎ２６、Ｎ２７は、全て隣接するＤＣ＿ＬＥＤユニットの隣接する電極にカップリングされる。
（２）  第１のＤＣ＿ＬＥＤユニットＨ２１のプラス電極、第８のＤＣ＿ＬＥＤユニットＨ２８のマイナス電極及び第２のＤＣ＿ＬＥＤユニットＨ２２のプラス電極は、第２の金属接点Ｎ２２に電気的にカップリングされる。
（３）  第２のＤＣ＿ＬＥＤユニットＨ２２のマイナス電極、第９のＤＣ＿ＬＥＤユニットＨ２９のプラス電極及び第３のＤＣ＿ＬＥＤユニットＨ２３のマイナス電極は、第３の金属接点Ｎ２３に電気的にカップリングされる。
（４）  第３のＤＣ＿ＬＥＤユニットＨ２３のプラス電極、第１０のＤＣ＿ＬＥＤユニットＨ３０のマイナス電極及び第４のＤＣ＿ＬＥＤユニットＨ２４のプラス電極は、第４の金属接点Ｎ２４に電気的にカップリングされる。
（５）  第４のＤＣ＿ＬＥＤユニットＨ２４のマイナス電極、第１１のＤＣ＿ＬＥＤユニットＨ３１のプラス電極及び第５のＤＣ＿ＬＥＤユニットＨ２５のマイナス電極は、第５の金属接点Ｎ２５に電気的にカップリングされる。
（６）  第５のＤＣ＿ＬＥＤユニットＨ２５のプラス電極、第１２のＤＣ＿ＬＥＤユニットＨ３２のマイナス電極及び第６のＤＣ＿ＬＥＤユニットＨ２６のプラス電極は、第６の金属接点Ｎ２６に電気的にカップリングされる。
（７）  第６のＤＣ＿ＬＥＤユニットＨ２６のマイナス電極、第８のＤＣ＿ＬＥＤユニットＨ２８のプラス電極及び第１１のＤＣ＿ＬＥＤユニットＨ３１のマイナス電極は、第１の金属接点Ｎ２１に電気的にカップリングされる。
（８）  第７のＤＣ＿ＬＥＤユニットＨ３１の電極、第８のＤＣ＿ＬＥＤユニットＨ２８のプラス電極、第９のＤＣ＿ＬＥＤユニットＨ２９のマイナス電極、第１０のＤＣ＿ＬＥＤユニットＨ３０のプラス電極、第１１のＤＣ＿ＬＥＤユニットＨ３１のマイナス電極、及び第１２のＤＣ＿ＬＥＤユニットＨ３２のプラス電極は、第７の金属接点Ｎ２７に電気的にカップリングされる。三つの金属接点Ｎ２１、Ｎ２３、Ｎ２５はそれぞれワイヤＰ８２、Ｐ８１、Ｐ８３を通じて三相電圧にカップリングされる。
【００４２】
図１６は図１５の等価回路を示す。図１６に示す１２組のＤＣ＿ＬＥＤユニットＨ２１〜Ｈ３２はそれぞれ図１５の各構成要素に対応する。ノードＮ２１〜Ｎ２７はそれぞれ図１５に示す金属接点に対応する。六角形の回路は１２組のＤＣ＿ＬＥＤユニットからなる。三つの金属接点によって一つのＡＣ＿ＬＥＤを形成するための１２組のＤＣ＿ＬＥＤユニットの相互関係は図１６に示されるとおりである。この六角形の電気的構成は以下の通りである。
（１）  第１のノードＮ２１、第２のノードＮ２２、第３のノードＮ２３、第４のノードＮ２４、第５のノードＮ２５、第６のノードＮ２６及び第７のノードＮ２７と、
（２）  第１のノードＮ２１から第２のノードＮ２２へ逆方向に電気的に接続される第１のＤＣ＿ＬＥＤであるＨ２１と、
（３）  第２のノードＮ２２から第３のノードＮ２３へ順方向に電気的に接続される第２のＤＣ＿ＬＥＤであるＨ２２と、
（４）  第３のノードＮ２３から第４のノードＮ２４へ逆方向に電気的に接続される第３のＤＣ＿ＬＥＤであるＨ２３と、
（５）  第４のノードＮ２４から第５のノードＮ２５へ順方向に電気的に接続される第４のＤＣ＿ＬＥＤであるＨ２４と、
（６）  第５のノードＮ２５から第６のノードＮ２６へ逆方向に電気的に接続される第５のＤＣ＿ＬＥＤであるＨ２５と、
（７）  第６のノードＮ２６から第１のノードＮ２１へ順方向に電気的に接続される第６のＤＣ＿ＬＥＤであるＨ２６と、
（８）  第７のノードＮ２７から第１のノードＮ２１へ逆方向に電気的に接続される第７のＤＣ＿ＬＥＤであるＨ２７と、
（９）  第７のノードＮ２７から第２のノードＮ２２へ順方向に電気的に接続される第８のＤＣ＿ＬＥＤであるＨ２８と、
（１０）第７のノードＮ２７から第３のノードＮ２３へ逆方向に電気的に接続される第９のＤＣ＿ＬＥＤであるＨ２９と、
（１１）第７のノードＮ２７から第４のノードＮ２４へ順方向に電気的に接続される第１０のＤＣ＿ＬＥＤであるＨ３０と、
（１２）第７のノードＮ２７から第５のノードＮ２５へ逆方向に電気的に接続される第１１のＤＣ＿ＬＥＤであるＨ３１と、
（１３）第７のノードＮ２７から第６のノードＮ２６へ順方向に電気的に接続される第１２のＤＣ＿ＬＥＤであるＨ３２と、を含み、
（１４）更に、ノードＮ２１〜Ｎ２３が、ワイヤＰ８２、Ｐ８１、Ｐ８３を介してそれぞれ三相電圧にカップリングされることを特徴とする。
ノードＮ２１からノードＮ２３への電流経路はＨ２７−Ｈ３０−Ｈ２３とＨ２７−Ｈ２８−Ｈ２２である。
ノードＮ２１からノードＮ２５への電流経路はＨ２７−Ｈ３０−Ｈ２４とＨ２７−Ｈ３２−Ｈ２５である。
ノードＮ２３からノードＮ２１への電流経路はＨ２９−Ｈ３２−Ｈ２６とＨ２９−Ｈ２８−Ｈ２１である。
ノードＮ２３からノードＮ２５への電流経路はＨ２９−Ｈ３２−Ｈ２５とＨ２９−Ｈ３０−Ｈ２４である。
ノードＮ２５からノードＮ２１への電流経路はＨ３１−Ｈ３２−Ｈ２６とＨ３１−Ｈ２８−Ｈ２１である。
ノードＮ２５からノードＮ２３への電流経路はＨ３１−Ｈ２８−Ｈ２２とＨ３１−Ｈ３０−Ｈ２３である。
【００４３】
本発明が開示する実施例では、同一表面のダイオード間における電気的に最短の接続を例として説明したが、絶縁層やワイヤによる従来の立体的接続によって本実施例の代用とすることも可能である。
【００４４】
以上、本発明の原理と効果を実施例をもとに説明したが、本発明は本明細書に記載の内容に限定されるものではなく、特許請求の範囲に記載の範囲内で種々の修飾や変更が可能であり、この技術に習熟した者が、本発明の要旨を逸脱しない範囲において行った修飾や変更も本発明の範囲に含まれることは言うまでもない。
【図面の簡単な説明】
【００４５】
【図１】従来技術（特許文献１）を模式的に示す図である。
【図２Ａ】本発明に用いられる第１の基本ユニットを示す図である。
【図２Ｂ】本発明に用いられる第２の基本ユニットを示す図である。
【図３】図２Ａ及び図２Ｂにおける基本ユニットの等価回路を示す図である。
【図４Ａ】本発明に用いられる第３の基本ユニットを示す図である。
【図４Ｂ】本発明に用いられる第４の基本ユニットを示す図である。
【図５】本発明に係る第１の実施例を示す図である。
【図６】図５の等価回路を模式的に示す図である。
【図７】本発明に係る第２の実施例を模式的に示す図である。
【図８】図７の等価回路を模式的に示す図である。
【図９】本発明に係る第３の実施例を模式的に示す図である。
【図１０】図９の等価回路を模式的に示す図である。
【図１１】本発明に係る第４の実施例を模式的に示す図である。
【図１２】本発明に係る第５の実施例を模式的に示す図である。
【図１３】本発明に係る第６の実施例を模式的に示す図である。
【図１４】本発明に係る第７の実施例を模式的に示す図である。
【図１５】本発明に係る第８の実施例を模式的に示す図である。
【図１６】図１５の等価回路を模式的に示す図である。
【符号の説明】
【００４６】
２００  絶縁基板
２０１  第１のＤＣ＿ＬＥＤ
２０２  第２のＤＣ＿ＬＥＤ
２１１  第１の金属接点
２１２  第２の金属接点
３０１  第１のＤＣ＿ＬＥＤ
３０２  第２のＤＣ＿ＬＥＤ
３１１  第１の金属接点
３１２  第２の金属接点
４００  絶縁基板
４０１  第１のＤＣ＿ＬＥＤ
４０２  第２のＤＣ＿ＬＥＤ
４１１  第１の金属接点
４１２  第２の金属接点
５００  絶縁基板
Ｃ１１、Ｃ２１、Ｃ１２、Ｃ３２、Ｃ１３、Ｃ３３  ＡＣ＿ＬＥＤユニット
Ｍ  金属配線
Ｐ１  第１の金属接点
Ｐ２  第２の金属接点
Ｐ３  第３の金属接点
７００  絶縁基板
Ｄ１１、Ｄ２１、Ｄ１２、Ｄ２２、Ｄ３２、Ｄ４２、Ｄ１３、Ｄ３３、Ｄ４３、Ｄ１４、Ｄ２４、Ｄ３４  ＡＣ＿ＬＥＤユニット
Ｐ０  第１の金属接点
Ｐ４  第４の金属接点
Ｐ５  第５の金属接点
Ｐ６  第６の金属接点
９００  絶縁基板
Ｅ１１、Ｅ１２、Ｅ２１、Ｅ２２、Ｅ３１、Ｅ３２  ＡＣ＿ＬＥＤユニット
Ｐ７  第１の金属接点
Ｐ８  第２の金属接点
Ｐ９  第３の金属接点
９９  金属接点Ｐ
Ｐ１１１〜Ｐ１１４  金属接点
１１００  基板
Ｈ２１〜Ｈ３２  ＤＣ＿ＬＥＤユニット
Ｎ２１〜Ｎ２７  金属接点
Ｐ８２、Ｐ８１、Ｐ８３  ワイヤ
【図１】
2007165898.tif 000003
【図２Ａ】
2007165898.tif 000004
【図２Ｂ】
2007165898.tif 000005
【図３】
2007165898.tif 000006
【図４Ａ】
2007165898.tif 000007
【図４Ｂ】
2007165898.tif 000008
【図５】
2007165898.tif 000009
【図６】
2007165898.tif 000010
【図７】
2007165898.tif 000011
【図８】
2007165898.tif 000012
【図９】
2007165898.tif 000013
【図１０】
2007165898.tif 000014
【図１１】
2007165898.tif 000015
【図１２】
2007165898.tif 000016
【図１３】
2007165898.tif 000017
【図１４】
2007165898.tif 000018
【図１５】
2007165898.tif 000019
【図１６】
2007165898.tif 000020
【外国語明細書】
2007165898.tif 000021
2007165898.tif 000022
2007165898.tif 000023
2007165898.tif 000024
2007165898.tif 000025
2007165898.tif 000026
2007165898.tif 000027
2007165898.tif 000028
2007165898.tif 000029
2007165898.tif 000030
2007165898.tif 000031
2007165898.tif 000032
2007165898.tif 000033
2007165898.tif 000034
2007165898.tif 000035
2007165898.tif 000036
2007165898.tif 000037
2007165898.tif 000038
2007165898.tif 000039
2007165898.tif 000040
2007165898.tif 000041
2007165898.tif 000042
2007165898.tif 000043
2007165898.tif 000044
2007165898.tif 000045
2007165898.tif 000046
2007165898.tif 000047
2007165898.tif 000048
2007165898.tif 000049
2007165898.tif 000050
2007165898.tif 000051
2007165898.tif 000052
2007165898.tif 000053
2007165898.tif 000054
2007165898.tif 000055
2007165898.tif 000056
2007165898.tif 000057
2007165898.tif 000058
2007165898.tif 000059
2007165898.tif 000060
2007165898.tif 000061
2007165898.tif 000062
2007165898.tif 000063